(57)【要約】  不正開封明示密閉装置および注ぎ口が提供される。密閉装置は、外壁と、外壁から支持された中心壁とを含む。密閉装置は、密閉装置の上縁と下縁との間に延び、外壁の内面と中心壁の外面との間に位置付けられた通路を画定する。密閉装置は、中心壁から延びる不正開封指示帯を含む。注ぎ口は、壁部分と、入口開口と出口開口との間の壁部分の中に延びる中心チャネルとを含む。注ぎ口は、入口開口の下方に位置付けられる構造物を含み、第１の外部面および第２の外部面の両方に、注ぎ口の中心軸に向かう角度が付けられている。【選択図】図１
2017533148.tif 000002
【特許請求の範囲】
【請求項１】
不正開封明示密閉装置において、
内面および外面を有する外壁と、
前記外壁から支持された中心壁であって、内面、外面、および前記内面上に位置付けられ、注ぎ口上の協働構造物と係合するように構成された係合構造物を有する、中心壁と、
前記密閉装置の上縁と下縁との間に延びる通路であって、前記外壁の前記内面と前記中心壁の前記外面との間に画定される、通路と、
前記中心壁から延びる不正開封指示帯とを備え、前記不正開封防止帯は、
前記中心壁から下向きに延びる第１の外壁部分と、
前記第１の外壁部分から離れるように半径方向内向きおよび上向きに延びる第１の内側係合壁であって、前記第１の外壁部分の内面に向いている外面と、前記中心壁に向かって半径方向内向きに向いている内面とを含む、第１の内側係合壁と、
前記第１の外壁部分に連結された第１の端部と、前記第１の内側係合壁に連結された第２の端部とを有する第１の接続部とを備える、不正開封明示密閉装置。
【請求項２】
前記第１の接続部が、前記下向きに延びる第１の外壁部分から前記上向きに延びる第１の内側係合壁への遷移を提供する曲線部を含む、請求項１に記載の密閉装置。
【請求項３】
前記第１の内側係合壁が上面を有し、前記第１の内側係合壁の前記上面が、前記第１の外壁部分の上縁の下方に位置付けられる、請求項１に記載の密閉装置。
【請求項４】
前記第１の内側係合壁が上面を有し、前記第１の内側係合壁の前記上面が、前記中心壁の下面の下方に位置付けられる、請求項１に記載の密閉装置。
【請求項５】
前記第１の外壁部分の前記内面が、前記第１の係合壁の前記外面の円周方向の長さより大きい、前記円周方向の長さを有する、請求項１に記載の密閉装置。
【請求項６】
前記不正開封防止帯が、
前記中心壁から下向きに延びる第２の外壁部分と、
前記第２の外壁部分から離れるように半径方向内向きおよび上向きに延びる第２の内側係合壁であって、前記第２の外壁部分の内面に向いている外面と、前記中心壁に向かって半径方向内向きに向いている内面とを含む、第２の内側係合壁と、
前記第２の外壁部分に連結された第１の端部と、前記第２の内側係合壁に連結された第２の端部とを有する第２の接続部と、
前記第２の外壁部分の時計回りに向いている面と前記第１の外壁部分の反時計回りに向いている面との間に位置付けられた第１の脆弱な橋部位と、
前記第２の外壁部分の反時計回りに向いている面と前記第１の外壁部分の時計回りに向いている面との間に位置付けられた第２の脆弱な橋部位とをさらに備える、請求項１に記載の密閉装置。
【請求項７】
前記第１の外壁部分を前記中心壁に連結する第１のヒンジ構造物であって、前記第１および第２の脆弱な橋が破壊された後、前記第１の外壁部分が、前記中心壁に対して枢動することを可能にする、第１のヒンジ構造物と、
前記第２の外壁部分を前記中心壁に連結する第２のヒンジ構造物であって、前記第１および第２の脆弱な橋が破壊された後、前記第２の外壁部分が、前記中心壁に対して枢動することを可能にする、第２のヒンジ構造物とをさらに備える、請求項６に記載の密閉装置。
【請求項８】
前記中心壁の前記内面が、断面が円形であり、前記第１の外壁部分が、前記中心壁の周囲の少なくとも１２０度にわたって延びており、前記第２の外壁部分が、前記中心壁の周囲の少なくとも１２０度にわたって延びている、請求項７に記載の密閉装置。
【請求項９】
前記中心壁から下向きに延びており、前記第２の外壁部分の前記時計回りに向いている面と、前記第１の外壁部分の前記反時計回りに向いている面との間に位置付けられる第１の不正開封防止帯柱であって、前記第１の外壁部分の前記反時計回りに向いている面に面して、それとの間に第１の間隙を画定する時計回りに向いている面と、前記第２の外壁部分の前記時計回りに向いている面に面して、それとの間に第２の間隙を画定する反時計回りに向いている面と、を含む、第１の不正開封防止帯柱、および
前記中心壁から下向きに延びており、前記第２の外壁部分の前記反時計回りに向いている面と、前記第１の外壁部分の前記時計回りに向いている面との間に位置付けられる第２の不正開封防止帯柱であって、前記第２の外壁部分の前記反時計回り向いている面に面して、それとの間に第３の間隙を画定する時計回りに向いている面と、前記第１の外壁部分の前記時計回りに向いている面に面して、それとの間に第４の間隙を画定する反時計回りに向いている面と、を含む、第２の不正開封防止帯柱
をさらに備える、請求項８に記載の密閉装置。
【請求項１０】
前記第２の外壁部分の時計回りに向いている面と前記第１の外壁部分の反時計回りに向いている面との間に位置付けられる第３の脆弱な橋部位と、
前記第２の外壁部分の反時計回りに向いている面と前記第１の外壁部分の時計回りに向いている面との間に位置付けられる第４の脆弱な橋部位とをさらに備え、
前記第１の脆弱な橋部位は、一方の端部が前記第１の不正開封防止帯柱の前記時計回りに向いている面に連結され、他方の端部が前記第１の外壁部分の前記反時計回りに向いている面に連結されており、
前記第２の脆弱な橋部位は、一方の端部が前記第２の不正開封防止帯柱の前記反時計回りに向いている面に連結され、他方の端部が前記第１の外壁部分の前記時計回りに向いている面に連結されており、
前記第３の脆弱な橋部位は、一方の端部が前記第１の不正開封防止帯柱の前記反時計回りに向いている面に連結され、他方の端部が前記第２の外壁部分の前記時計回りに向いている面に連結されており、
前記第４の脆弱な橋部位は、一方の端部が前記第２の不正開封防止帯柱の前記時計回りに向いている面に連結され、他方の端部が前記第２の外壁部分の前記反時計回りに向いている面に連結されている、請求項９に記載の密閉装置。
【請求項１１】
前記第１の脆弱な橋部位の上面が、前記第１の間隙の下縁を画定し、前記第３の脆弱な橋部位の上面が、前記第２の間隙の下縁を画定し、前記第２の脆弱な橋部位の上面が、前記第４の間隙の下縁を画定し、さらに前記第４の脆弱な橋部位の上面が、前記第３の間隙の下縁を画定する、請求項１０に記載の密閉装置。
【請求項１２】
可撓性パウチ容器に連結された、請求項１に記載の密閉装置。
【請求項１３】
密閉装置によって密封されるように構成されている容器のための注ぎ口において、
壁部分であって、前記密閉装置の協働係合構造物と係合するように構成される、前記壁部分の外面から延びる係合構造物を含む、壁部分と、
入口開口と出口開口との間の前記壁部分を通って延びる中心チャネルであって、前記注ぎ口の中心軸を取り囲んでいる、中心チャネルと、
前記入口開口の下方に位置付けられる構造物であって、
前記構造物の第１の側部上の第１の外部面であって、前記入口開口から離れる方向に延びる、第１の外部面、
前記第１の側部に対向する、前記構造物の第２の側部上の第２の外部面であって、前記入口開口から離れる方向に延びる、第２の外部面、
前記第１の外部面と前記第２の外部面との間に延び、前記入口開口の下方に位置付けられた下側チャネル
を備える、構造物とを備え、
前記構造物の下側端部における前記第１の外部面および前記第２の外部面の対向する部分の間の幅が、前記構造物の上側端部における前記第１の外部面および前記第２の外部面の対向する部分の間の幅より小さくなるように、前記第１の外部面および前記第２の外部面の両方に、前記注ぎ口の前記中心軸に向かう角度が付けられている、注ぎ口。
【請求項１４】
前記構造物の前記第１の外部面および前記第２の外部面が、前記中心軸に対して凹形である、請求項１３に記載の注ぎ口。
【請求項１５】
前記構造物の下側端部における前記第１の外部面および前記第２の外部面の対向する部分の間の前記幅が、前記構造物の前記上側端部における前記第１の外部面および前記第２の外部面の対向する部分の間の前記幅の５０％より小さい、請求項１３に記載の注ぎ口。
【請求項１６】
前記中心チャネルが、前記下側チャネルによって画定される中心軸に対して実質的に垂直である、請求項１３に記載の注ぎ口。
【請求項１７】
密閉装置組立体において、
注ぎ口であって、
壁部分の外面から延びる係合構造物を含む壁部分と、
入口開口と出口開口との間の前記壁部分を通って延びる中心チャネルであって、前記注ぎ口の中心軸を取り囲んでいる、中心チャネルと、
前記入口開口の下方に位置付けられる構造物と
を備え、前記構造物が、
前記構造物の第１の側部上の第１の外部面であって、前記入口開口から離れる方向に延びる、第１の外部面と、
前記第１の側部に対向する、前記構造物の第２の側部上の第２の外部面であって、前記入口開口から離れる方向に延びる、第２の外部面と、
前記第１の外部面と前記第２の外部面との間に延び、前記入口開口の下方に位置付けられる下側チャネルと
を備え、
前記構造物の下側端部における前記第１の外部面および前記第２の外部面の対向する部分の間の幅が、前記構造物の上側端部における前記第１の外部面および前記第２の外部面の対向する部分の間の幅より小さくなるように、前記第１の外部面および前記第２の外部面の両方に、前記注ぎ口の前記中心軸に向かう角度が付けられている、注ぎ口と、
密閉装置であって、
内面および外面を有する外壁と、
前記外壁の前記内面から支持された中心壁であって、内面、外面、および前記内面上に位置付けられ、注ぎ口上の前記係合構造物と係合するように構成された係合構造物を有する、中心壁と、
前記密閉装置の上縁と下縁との間に延びる通路であって、前記外壁の前記内面と前記中心壁の前記外面との間に画定される、通路と、
前記中心壁から延びる不正開封指示帯と
を備え、前記不正開封防止帯が、
前記中心壁から下向きに延びる第１の外壁部分と、
前記第１の外壁部分から離れるように半径方向内向きおよび上向きに延びる第１の内側係合壁であって、前記第１の外壁部分の内面に向いている外面と、前記中心壁に向かって半径方向内向きに向いている内面とを含む、第１の内側係合壁と、
前記第１の外壁部分に連結された第１の端部と、前記第１の内側係合壁に連結された第２の端部とを有する第１の接続部と、
前記中心壁から下向きに延びる第２の外壁部分と、
前記第２の外壁部分から離れるように半径方向内向きおよび上向きに延びる第２の内側係合壁であって、前記第２の外壁部分の内面に向いている外面と、前記中心壁に向かって半径方向内向きに向いている内面とを含む、第２の内側係合壁と、
前記第２の外壁部分に連結された第１の端部と、前記第２の内側係合壁に連結された第２の端部とを有する第２の接続部と、
前記第２の外壁部分の時計回りに向いている面と前記第１の外壁部分の反時計回りに向いている面との間に位置付けられた第１の脆弱な橋部位と、
前記第２の外壁部分の反時計回りに向いている面と前記第１の外壁部分の時計回りに向いている面との間に位置付けられた第２の脆弱な橋部位とを備える、
密閉装置と
を備える、密閉装置組立体。
【請求項１８】
前記構造物の前記第１の外部面および前記第２の外部面が、前記中心軸に対して凹形であり、前記構造物の下側端部における前記第１の外部面および前記第２の外部面の対向する部分の間の前記幅が、前記構造物の前記上側端部における前記第１の外部面および前記第２の外部面の対向する部分の間の前記幅の５０％より小さい、請求項１７に記載の密閉装置組立体。
【請求項１９】
前記密閉装置が、
前記第１の外壁部分を前記中心壁に連結する第１のヒンジ構造物であって、前記第１および第２の脆弱な橋が破壊された後、前記第１の外壁部分が、前記中心壁に対して枢動することを可能にする、第１のヒンジ構造物と、
前記第２の外壁部分を前記中心壁に連結する第２のヒンジ構造物であって、前記第１および第２の脆弱な橋が破壊された後、前記第２の外壁部分が、前記中心壁に対して枢動することを可能にする、第２のヒンジ構造物とをさらに備え、
前記中心壁の前記内面が、断面で円形であり、前記第１の外壁部分が、前記中心壁の周囲の少なくとも１２０度にわたって延びており、前記第２の外壁部分が、前記中心壁の周囲の少なくとも１２０度にわたって延びている、請求項１８に記載の密閉装置組立体。
【請求項２０】
前記注ぎ口に連結された可撓性パウチ容器をさらに備え、前記注ぎ口の前記入口開口が、前記容器の中に位置付けられ、前記注ぎ口の前記出口開口が、前記容器の外側に位置付けられている、請求項１９に記載の密閉装置組立体。
【発明の詳細な説明】
【技術分野】
【０００１】
関連特許出願に対する相互参照
[0001]本出願は、２０１４年１０月３１日出願の米国仮特許出願第６２／０７３，７４５号に対する優先権およびその利益を請求する２０１５年３月１８日出願の米国特許出願第１４／６６１，７４０号に対する優先権およびその利益を請求し、同米国仮特許出願および同米国特許出願の全体を参照により本明細書に援用する。
【０００２】
[0002]本発明は、液体またはゲル様の軟度を有する材料を収容するパウチなどの容器を密閉するためのキャップおよび注ぎ口組立体に関する。具体的には、本発明は、一体的に成形されて折り返された不正開封防止帯を備えた、子供に安全な密閉装置、および関連する注ぎ口設計に関する。特定の実施形態では、注ぎ口は、不正開封防止帯の可視性を改善するための特徴、および／またはパウチなどの可撓性容器が注ぎ口の流入開口を塞ぐ可能性を制限するための特徴を含む。
【発明の概要】
【課題を解決するための手段】
【０００３】
[0003]本発明の１つの実施形態は、本明細書に記載する１つまたは複数の特徴の何らかの組合せを含む容器密閉組立体に関する。本発明の別の実施形態は、本明細書に記載する１つまたは複数の特徴の何らかの組合せを含む密閉装置に関する。本発明の別の実施形態は、本明細書に記載する１つまたは複数の特徴の何らかの組合せを含む注ぎ口に関する。本発明の別の実施形態は、本明細書に記載する１つまたは複数の特徴の何らかの組合せを含む容器に関する。
【０００４】
[0004]本発明の別の実施形態は、中心開口を備えた外壁と、注ぎ口上の協働構造物と係合するように構成された係合構造物を有する中心壁部分とを含む密閉装置に関する。密閉装置は、密閉装置の上面と下面との間に延び、外壁と中心壁部分との間に位置付けられた通路を含む。密閉装置は、中心壁部分の下側部分から延びる不正開封防止帯を含み、不正開封防止帯は、不正開封防止帯の下側部分から離れるように半径方向内向きおよび上向きに延びる少なくとも１つの一体成形の部分を含む。
【０００５】
[0005]本発明の別の実施形態は、流入開口と流出開口との間に延びるチャネルを画定するねじ山付き円柱壁部分を含む注ぎ口に関する。注ぎ口は、流入開口の下方に延びる構造物を含む。構造物は、第１の対向面と第２の対向面との間に延びる概ね水平なチャネルを画定し、第１の対向面と第２の対向面とは下方に延び、両方とも注ぎ口の中心軸に向かって角度が付けられている。
【０００６】
[0006]本発明の別の実施形態は、内面および外面を有する外壁を含む不正開封明示密閉装置に関する。密閉装置は、外壁から支持された中心壁を含み、中心壁は、内面、外面、および内面上に位置付けられ、注ぎ口上の協働構造物と係合するように構成された係合構造物を有する。密閉装置は、密閉装置の上縁と下縁との間に延びる通路を含み、通路は、外壁の内面と中心壁の外面との間に画定される。密閉装置は、中心壁から延びる不正開封指示帯を含む。不正開封防止帯は、中心壁から下向きに延びる第１の外壁部分と、第１の外壁部分から離れるように半径方向内向きおよび上向きに延びる第１の内側係合壁とを含む。第１の内側係合壁は、第１の外壁部分の内面に向いている外面と、中心壁に向かって半径方向内向きに向いている内面とを含む。不正開封防止帯は、第１の外壁部分に連結された第１の端部と、第１の内側係合壁に連結された第２の端部とを有する第１の接続部を含む。
【０００７】
[0007]本発明の別の実施形態は、密閉装置によって密封されるように構成される容器のための注ぎ口に関する。注ぎ口は、壁部分を含む。壁部分は、密閉装置の協働係合構造物と係合するように構成される、壁部分の外面から延びる係合構造物を含む。注ぎ口は、入口開口と出口開口との間の壁部分の中に延びる中心チャネルを含み、チャネルは、注ぎ口の中心軸を取り囲んでいる。注ぎ口は、入口開口の下方に位置付けられる構造物を含む。構造物は、構造物の第１の側部上に第１の外部面を含み、第１の外部面は、入口開口から離れる方向に延びる。構造物は、第１の側部に対向する、構造物の第２の側部上に第２の外部面を含み、第２の外部面は、入口開口から離れる方向に延びる。構造物は、第１の外部面と第２の外部面との間に延び、入口開口の下方に位置付けられる下側チャネルを含む。構造物の下側端部における第１の外部面および第２の外部面の対向する部分の間の幅が、構造物の上側端部における第１の外部面および第２の外部面の対向する部分の間の幅より小さくなるように、第１の外部面および第２の外部面の両方に、注ぎ口の中心軸に向かう角度が付けられている。
【０００８】
[0008]本発明の別の実施形態は、密閉装置組立体に関する。密閉装置組立体は、注ぎ口および密閉装置を含む。注ぎ口は、壁部分の外面から延びる係合構造物を含む壁部分と、入口開口と出口開口との間の壁部分を通って延びる中心チャネルとを含む。チャネルは、注ぎ口の中心軸を取り囲んでいる。注ぎ口は、入口開口の下方に位置付けられる構造物を含む。構造物は、構造物の第１の側部上に第１の外部面を含み、第１の外部面は、入口開口から離れる方向に延びる。構造物は、第１の側部と対向する構造物の第２の側部上に第２の外部面を含み、第２の外部面は、入口開口から離れる方向に延びる。構造物は、第１の外部面と第２の外部面との間に延び、入口開口の下方に位置付けられる下側チャネルを含む。構造物の下側端部における第１の外部面および第２の外部面の対向する部分の間の幅が、構造物の上側端部における第１の外部面および第２の外部面の対向する部分の間の幅より小さくなるように、第１の外部面および第２の外部面の両方に、注ぎ口の中心軸に向かう角度が付けられている。密閉装置は、内面および外面を有する外壁と、外壁の内面から支持された中心壁とを含む。中心壁は、内面、外面、および内面上に位置付けられ、注ぎ口の協働構造物と係合するように構成される係合構造物を含む。密閉装置は、密閉装置の上縁と下縁との間に延びる通路を含み、通路は、外壁の内面と中心壁の外面との間に画定される。密閉装置は、中心壁から延びる不正開封指示帯を含む。不正開封防止帯は、中心壁から下向きに延びる第１の外壁部分と、第１の外壁部分から離れるように半径方向内向きおよび上向きに延びる第１の内側係合壁とを含む。第１の内側係合壁は、第１の外壁部分の内面に向いている外面と、中心壁に向かって半径方向内向きに向いている内面とを含む。不正開封防止帯は、第１の外壁部分に連結された第１の端部と、第１の内側係合壁に連結された第２の端部とを有する第１の接続部を含む。不正開封防止帯は、中心壁から下向きに延びる第２の外壁部分と、第２の外壁部分から離れるように半径方向内向きおよび上向きに延びる第２の内側係合壁を含む。第２の内側係合壁は、第２の外壁部分の内面に向いている外面と、中心壁に向かって半径方向内向きに向いている内面とを含む。不正開封防止帯は、第２の外壁部分に連結された第１の端部と、第２の内側係合壁に連結された第２の端部とを有する第２の接続部を含む。不正開封防止帯は、第２の外壁部分の時計回りに向いている面と第１の外壁部分の反時計回りに向いている面との間に位置付けられた第１の脆弱な橋部位を含む。不正開封防止帯は、第２の外壁部分の反時計回りに向いている面と第１の外壁部分の時計回りに向いている面との間に位置付けられた第２の脆弱な橋部位を含む。
【０００９】
[0009]本発明のさまざまな実施形態は、本明細書で説明および図示される特徴、構造物、要素、パラメータ、方法ステップ、システム、構成要素、サブシステムなどのいずれかに関し、本発明のさまざまな実施形態は、本明細書で説明および図示される特徴、構造物、要素、パラメータ、方法ステップ、システム、構成要素、サブシステムなどのいずれかの組合せに関する。
【００１０】
[0010]代替的な例示的実施形態は、特許請求の範囲において概括的に記述され得る、他の特徴および特徴の組合せに関する。
[0011]本出願は、以下の詳細説明を、類似の参照符号が類似の要素を指す添付図と関連させながら読むことで、より完全に理解されよう。
【図面の簡単な説明】
【００１１】
【図１】[0012]例示的な実施形態によるパウチ型容器に連結された容器密閉装置組立体の図である。
【図２】[0013]例示的な実施形態による密閉装置および注ぎ口を含む容器密閉装置組立体の斜視図である。
【図３】[0014]例示的な実施形態による図２の密閉装置の下方からの斜視図である。
【図４】[0015]例示的な実施形態による図３の密閉装置の断面の斜視図である。
【図５】[0016]例示的な実施形態による図２の注ぎ口の上方からの斜視図である。
【図６】[0017]例示的な実施形態による図２の注ぎ口の断面図である。
【図７】[0018]例示的な実施形態による図２の注ぎ口に連結された図２の密閉装置の断面図である。
【図８】[0019]例示的な実施形態による注ぎ口と不正開封防止帯との間の相互作用を示す詳細図である。
【図９】[0020]例示的な実施形態による破壊された不正開封防止帯を示す、図２の容器密閉装置組立体の斜視図である。
【図１０】[0021]別の例示的な実施形態による注ぎ口と破壊された不正開封防止帯との間の相互作用を示す詳細図である。
【図１１】[0022]例示的な実施形態による図２の注ぎ口の下方からの斜視図である。
【図１２】[0023]例示的な実施形態による図２の注ぎ口の側面図である。
【図１３】[0024]別の例示的な実施形態による密閉装置および注ぎ口を含む容器密閉装置組立体の斜視図である。
【発明を実施するための形態】
【００１２】
[0025]例示的な実施形態を詳細に示す図を参照する前に、本出願は、詳細説明に記載されるまたは図に例示される細部または方法論に限定されないことを理解されたい。用語は、説明のためのものにすぎず、制限的とみなされるべきではないことを理解されたい。
【００１３】
[0026]図を全般的に参照すると、さまざまな実施形態において、成形された密閉装置と、プラスチック製ネック状端部を有する別成形された注ぎ口とを含む容器密閉装置組立体が、提供される。一般的には、密閉装置は、ねじ切りなどの係合構造物を利用して注ぎ口に取り付けられる。密閉装置は、一体的な折り返された不正開封防止帯を含み、この不正開封防止帯は、取り外し時に、注ぎ口のフランジと相互に作用して、不正開封防止帯を破壊すると共に、破壊された不正開封防止帯を外向きに押して、破壊された不正開封防止帯の可視性／検出性を強化する。さらに、注ぎ口は、注ぎ口の下側の流入口端部に位置付けられた構造物を含み、この構造物は、これがない場合には、パウチの内容物が注ぎ口を通って消費されている際に発生する可能性がある、パウチ型容器の可撓性側壁が注ぎ口の流入口端部を塞ぐことを制限するまたは防止する機能を果たす。
【００１４】
[0027]図１は、例示的な実施形態による容器組立体１０を示す。容器組立体１０は、密閉装置１２および注ぎ口１４を含む密閉装置組立体を含む。注ぎ口１４は、パウチ１６として示される容器に連結されている。一般的には、パウチ１６は、液体、半流動体、または粉末状食品もしくは飲料などの容器内容物をパウチ１６の中に含み、注ぎ口１４は、その中を通ってパウチ１６の内容物を出すことができるチャネルを提供する。図示の実施形態では、パウチ１６は、可撓性を有し、圧搾可能な種類の容器であり、これは、可橈性材料から形成され得る。さまざまな実施形態では、可橈性材料は、熱可塑性シートまたは箔パウチなどの材料であってもよい。他の実施形態では、密閉装置１２および注ぎ口１４は、プラスチック瓶または複合材（紙、ボール紙など）の箱などの、他の種類の容器と共に使用されてもよい。特定の実施形態では、パウチ１６の内容物は、ベビーフード、ヨーグルト、アップルソースなどの、子供によって消費される目的の食品または飲料であってもよい。
【００１５】
[0028]図１は、パウチ１６の上側端部１７に隣接したパウチ１６に連結された注ぎ口１４を示す。この配置では、注ぎ口１４は、パウチ１６の上側端部から突出しており、密閉装置１２が、注ぎ口１４を密封する機能を果たす。一般的に理解されるように、パウチ１６の下側端部１９は、端壁または輪縁を提供して、パウチ１６が図１に示す直立位置で座るための安定した基部を提供することができる。
【００１６】
[0029]図２は、注ぎ口１４の上側注ぎ口部分に連結された密閉装置１２を示す。さまざまな実施形態において、密閉装置１２は、上側注ぎ口部分の外面上の協働ねじ山と係合するねじ山を含む。密閉装置１２は、上面開口２２を画定する内部上縁２０を備えた外壁１８を含む。密閉装置１２は、空いた空間またはチャネル２８が密閉装置１２内に画定されるように、半径方向壁２６によって外壁１８の内面に連結される、中心柱２４として示される中心壁部分を含む。チャネル２８は、気流が密閉装置１２を通ることができるように、密閉装置１２を貫通して内部上縁２０から下縁３０まで垂直に延びる。
【００１７】
[0030]図３および図４を参照すると、密閉装置１２は、中心柱２４の下側端部から延びる不正開封防止帯３２を含む。不正開封防止帯３２は、２つの外壁部位３４および３６を含む。第１の対の橋部位３８は、不正開封防止帯外壁部位３４および３６の第１の端部３７と３９との間にそれぞれ位置付けられる。第２の対の橋部位４０は、不正開封防止帯外壁部位３４および３６の第２の端部４１と４３との間にそれぞれ位置付けられる。不正開封防止帯３２の各部位３４および３６は、外壁部位３４および３６の内面から離れて内向きに、密閉装置１２の上側端部に向かって上向きに半径方向に延びる、Ｊ字帯部位４２として示される２つの係合構造物または壁を含む。
【００１８】
[0031]さまざまな実施形態では、外壁部位３４および３６は、中心柱２４の基部を取り囲む相対的な競合帯を提供するように構成される。さまざまな実施形態では、外壁部位３４および３６はそれぞれ、中心柱２４の外周の周囲の少なくとも１２０度、厳密には、中心柱２４の外周の周囲の少なくとも１５０度、より厳密には、中心柱２４の外周の周囲の少なくとも１６０度にわたって延びている。
【００１９】
[0032]図示の実施形態では、Ｊ字帯部位４２は、不正開封防止帯３２の残部と一体成形されており、不正開封防止帯３２の下側端部４５に接続されている部位である。１つの実施形態では、Ｊ字帯部位４２は、図３に示すｕ字形状に成形された、ｕ字形状の湾曲接続部位４４として示される接続部を備えて、図３に示す位置付けで成形される。別の実施形態では、Ｊ字帯部位４２は、下側端部４５から下方へ延びて成形され、成形の後、Ｊ字帯部位４２は、不正開封防止帯３２に対して上向きおよび内向きに折り返されて、ｕ形状接続部位４４を構成する。いずれの成形配置においても、接続部位４４は、概ね下向きに延びる外壁部位３４または３６から概ね上向きに延びるＪ字帯部位４２への遷移を提供する。
【００２０】
[0033]図４に最も分かり易く示されるように、Ｊ字帯部位４２は、外壁部位３４および３６に対して角度が付けられている。さらに、Ｊ字帯部位４２はそれぞれ、各Ｊ字帯部位４２の最上面を画定する上縁または上面４７を有する。Ｊ字帯部位４２は、外壁部位３４および３６の高さより小さい高さ（例えば密閉装置の縦軸の方向の寸法）を有する。この配置では、上面４７は、外壁部位３４および３６両方の最上部分の下方にあり、中心柱２４の最下縁４９の下方にある。さらに、図３および図４の両方で示すように、外壁部位３４および３６は共に、Ｊ字帯部位４２の円周方向の長さより大きい円周方向の長さを有する。さまざまな実施形態では、外壁部位３４および３６の円周方向の糸尺は、Ｊ字帯部位４２の円周方向の糸尺より大きい。さまざまな実施形態では、外壁部位３４および３６の円周方向の角測長さは、Ｊ字帯部位４２の円周方向の角測長さより大きい。特定の実施形態では、外壁部位３４および３６の円周長さと、Ｊ字帯部位４２の円周長さとの差は、外壁部位３４および３６の主要な半径方向内面と、Ｊ字帯部位４２の主要な半径方向外面との間の長さの差である。
【００２１】
[0034]図４は、密閉装置１２のおよそ半分を断面で示す。したがって、図４に示すように、不正開封防止帯外壁部位３４および３６のそれぞれの半分の部位は、それぞれが１つのＪ字帯部位４２を含む。したがって、図示する密閉装置１２の実施形態では、不正開封防止帯３２は、合計４つのＪ字帯部位４２を含む。しかしながら、他の実施形態では、不正開封防止帯３２は、２つ、３つ、５つ、６つのＪ字帯部位など、さまざまな数のＪ字帯部位４２を含んでいてもよい。
【００２２】
[0035]密閉装置１２を捻り外す時、Ｊ字帯部位４２は、密閉装置１２が上方に移動する際に、注ぎ口１４上の協働構造物と相互に作用し（この後論ずる）、これが、橋部位３８および４０を破壊し、不正開封防止帯部位３４および３６を外向きに押す。不正開封防止帯部位３４および３６は、各不正開封防止帯部３４、３６を中心柱２４および半径方向壁２６の内の少なくとも１つに接合している一体成形のヒンジ構造物４６（図４に表示される）によって中心柱２４に接続されたままである。このようにして、不正開封防止帯３２は、密閉装置１２を開けた後も、依然として密閉装置１２に連結され、密閉装置１２と共に元のままである。
【００２３】
[0036]図３に最も分かり易く示されるように、不正開封防止帯３２は、柱部位５１および５３として示される２つの不正開封防止帯柱を含む。柱部位５１は、不正開封防止帯外壁部位３４および３６の第１の端部３７と３９との間に円周方向に位置付けられ、柱部位５３は、不正開封防止帯外壁部位３４および３６の第２の端部４１と４３との間に円周方向に位置付けられる。一般的には、柱部位５１および５３は、橋３８および４０がそれぞれ連結される構造物を提供する。
【００２４】
[0037]この配置では、柱部位５１および５３の時計回りおよび反時計回りに向いている面と、隣接する外壁部位３４および３６の対向する時計回りおよび反時計回りに向いている面とが、図３に示すように空間または間隙を画定する。構造物を不正開封防止帯３２にさらに設けるために、柱部位５１および５３のそれぞれは、半径方向壁２６の１つの下方に位置付けられる。比較的頑強で、硬質の、支持されたアンカー点を提供することにより、柱部位５１および５３のこのような位置付けは、捻り外した時に柱部位５１および５３に生じる曲がりまたは歪みが比較的低水準であるため、密閉装置１２の取り外し時に、不正開封防止帯３２の橋３８および４０を安定して破壊することを助長し得る。この配置では、橋部位３８および４０は、柱部位５１および５３の対向する時計回りおよび反時計回りの面と、外壁部位３４および３６の対向する時計回りおよび反時計回りの面との間に連結される。
【００２５】
[0038]図５を参照すると、例示的な実施形態による注ぎ口１４の斜視図が示される。注ぎ口１４は、流入開口または入口開口５４および流出開口または出口開口５６から注ぎ口１４を貫通して延びる中心チャネル５２を画定する上側注ぎ口部分５０を含む。一般的には、中心チャネル５２は、その中を通って容器内容物に接近し容器内容物を除去することができる、容器（パウチ１６など）の内部から容器の外部までの経路を提供する。上側注ぎ口部分５０は、密閉装置１２の中心柱２４の内面上の協働ねじ山５９（図４に示す）と係合する、ねじ山５８として示される密閉用係合構造物を含む。
【００２６】
[0039]注ぎ口１４は、ねじ山５８の下方に位置付けられた上側フランジ６０を含む。注ぎ口１４は、下側フランジ６２および中央フランジ６４を含む。下方に位置付けられた下側フランジ６２は、複数の水平リブ６８を含む、概ね台形形状の取付区域６６である。取付区域６６およびリブ６８は、注ぎ口１４が図１に示すように容器から支持されるように、容器側壁の内面（例えばパウチ１６の側壁）に接合される。
【００２７】
[0040]図６を参照すると、さまざまな実施形態では、注ぎ口１４は、プラスチックから成形され、注ぎ口１４の正確な成形を容易にする、注ぎ口１４の長さに沿う厚みを有する。図６に示すように、上側注ぎ口部分５０は、厚みＡおよび高さＨ２を有する。さまざまな実施形態では、上側注ぎ口部分５０は、０．０６３５ｃｍ（０．０２５インチ）から０．１０１６ｃｍ（０．０４０インチ）の間、厳密には、０．０７１１ｃｍ（０．０２８インチ）から０．０８１３ｃｍ（０．０３２インチ）の間、より厳密には約０．０７６２ｃｍ（０．０３０インチ）（例えばプラスマイナス０．０１２７ｃｍ（０．００５インチ）の範囲）の厚みＡを有する。さまざまな実施形態では、注ぎ口１４は、全高Ｈ１を有し、Ｈ２は、Ｈ１の３０％より小さく、より厳密にはＨ１の２５％より小さい。さらに、注ぎ口１４は、ねじ山５８の間に位置付けられる厚みＢを有し、さまざまな実施形態では、厚みＢは、０．０８８９ｃｍ（０．０３５インチ）から０．１１４３ｃｍ（０．０４５インチ）の間、厳密には０．０９６５ｃｍ（０．０３８インチ）から０．１０６７ｃｍ（０．０４２インチ）の間、より厳密には約０．１０１６ｃｍ（０．０４０インチ）（例えばプラスマイナス０．０１２７ｃｍ（０．００５インチ）の範囲）である。注ぎ口１４は、フランジ６２と６４との間に位置付けられる厚みＣを有し、さまざまな実施形態では、厚みＣは、０．０９６５ｃｍ（０．０３８インチ）から０．１２１９ｃｍ（０．０４８インチ）の間、厳密には０．１０４１ｃｍ（０．０４１インチ）から０．１１４３ｃｍ（０．０４５インチ）の間、より厳密には０．１０９２ｃｍ（０．０４３インチ）（例えばプラスマイナス０．０１２７ｃｍ（０．００５インチ）の範囲）である。注ぎ口１４は、リブ６８の間に位置付けられる厚みＤを有し、さまざまな実施形態では、厚みＤは、０．０９６５ｃｍ（０．０３８インチ）から０．１２１９ｃｍ（０．０４８インチ）の間、厳密には０．１０４１ｃｍ（０．０４１インチ）から０．１１４３ｃｍ（０．０４５インチ）の間、より厳密には０．１０９２ｃｍ（０．０４３インチ）（例えばプラスマイナス０．０１２７ｃｍ（０．００５インチ）の範囲）である。さまざまな実施形態では、厚みＢ、Ｃ、およびＤを有する区域は、Ｈ３と示される高さを有し、さまざまな実施形態では、Ｈ３は、Ｈ１の６０％より大きく、より厳密にはＨ１の７０％より大きい。
【００２８】
[0041]図７を参照すると、注ぎ口１４に連結された密閉装置１２が示される。図７に示すように、密閉装置１２が、注ぎ口１４に完全に係合されると、Ｊ字帯部位４２は、フランジ６０の真下に係合される。この配置では、不正開封防止帯３２の下側端部４５は、フランジ６４に向いており、不正開封防止帯３２の最下面とフランジ６４の上面との間には、少しの隙間がある。さらに、Ｊ字帯部位４２は、各Ｊ字帯の上面４７が、フランジ６０に向いていて、フランジ６０の下に位置付けられるように配置される。
【００２９】
[0042]図８を参照すると、Ｊ字帯４２と注ぎ口１４との間の相互作用の詳細図が示される。注ぎ口１４は、フランジ６０の下方に位置付けられた、概ね垂直に延びている複数のリブ６１を含む。リブ６１は、キャップ除去の間、Ｊ字帯４２の半径方向で最も内側の部位と相互に作用して、Ｊ字帯４２がフランジ６０の下に入り込む可能性を制限する。このようにして、リブ６１は、Ｊ字帯４２が、キャップ除去の間に、フランジ６０の最外縁の上で移行することを可能にする面を提供する。
【００３０】
[0043]図９を参照すると、例示的な実施形態による注ぎ口１４から除去する時の密閉装置１２が示される。フランジ６０は、受け棚の役をする外面を含む。密閉装置１２が除去される際に、Ｊ字帯部位４２は、フランジ６０と相互に作用して、不正開封防止帯３２を外向きに押し、橋３８および４０を破壊する。厳密には、密閉装置１２の取り外し時に、不正開封防止帯３２が、フランジ６０の上を通り越す際に、フランジ６０は、破壊された不正開封防止帯３２を広げる働きをして、破壊された不正開封防止帯３２を半径方向に外向きに押す。不正開封防止帯３２の破壊された部位は、フランジ６０との相互作用下で、ヒンジ４６の周囲を半径方向外向きに枢動して、破壊された不正開封防止帯の出現をさらに目立たせる。破壊された橋部位３８および４０と、外向きに押された不正開封防止帯３２とは、図９に示すように、密閉装置１２が既に開封されていることを示すことによって、不正開封のしるしを提供する。
【００３１】
[0044]図１０を参照すると、例示的な実施形態による、破壊された不正開封防止帯３２と注ぎ口１４との間の相互作用の詳細図が示される。図１０に示すように、注ぎ口１４のフランジ６４は、反時計回りの面６３として示される複数の円周方向に向いている面を含む。図示の実施形態ではフランジ６４は、フランジ６４の円周の周囲に約１８０度の間隔で配置される２つの反時計回りの面６３を含む。密閉装置１２が注ぎ口１４から最初に除去された後、不正開封防止帯３２は、橋３８および４０の箇所で破壊されて、自由端６５を形成する。開口後に密閉装置１２を再適用する時、破壊された不正開封防止帯３２の自由端６５は、不正開封防止帯３２が既に破壊されたことが容易に分るような位置に不正開封防止帯３２を維持するように機能する反時計回りの面６３と係合する。
【００３２】
[0045]図１１および図１２を参照すると、注ぎ口１４は、注ぎ口開口５４の閉塞を制限するように機能する、下側開口５４を取り囲む構造物を含む。図示する特定の実施形態では、注ぎ口１４は、注ぎ口１４の下側開口５４を取り囲む取付区域６６の下面から延びる構造物７０を含み、開口５４が、注ぎ口１４が取り付けられる容器（例えばパウチ１６）の側壁によって塞がれることを制限または防止するように機能する。一般的には、構造物７０は、環形状のチャネル７８として示される下側チャネルと、取付構造物６６の翼部と実質的に平行な平面に位置する、チャネル７８への入口の少なくとも一部とを画定する。
【００３３】
[0046]図１２を参照すると、構造物７０は、中心軸８０に向かって内向きに先細になり底面７６まで下向きに延びる対向面７２および７４を含む。チャネル７８は、軸８０に対しても、取付構造物６６によって画定される平面に対しても実質的に垂直である軸８１を画定する。この配置では、チャネル７８は、対向面７２と７４との間に延びており、対向面７２および７４は、取付構造物６６によって画定される平面に対して内向きに角度が付けられている。さらに、さまざまな実施形態では、面７２および７４は、軸８０に向かって内向きに角度が付けられている。
【００３４】
[0047]図１２に示すようなさまざまな実施形態では、構造物７０の先端７１の幅Ｗ１は、構造物７０の上端部７３の幅Ｗ２と比べて相対的に小さい。さまざまな実施形態では、Ｗ１は、Ｗ２の５０％より小さく、厳密にはＷ２の３０％より小さく、より厳密にはＷ２の２０％より小さい。この配置では、面７２および７４は、全体に容器１６の内面に向いており、容器１６の内面が、下側注ぎ口開口５４を塞ぐまたは閉鎖する可能性を制限する細長い環状構造物を提供している。
【００３５】
[0048]構造物７０の閉塞制限機能をさらに促進するために、面７２および７４は、軸８０に対して凹形である湾曲面である。さまざまな実施形態では、面７２および７４は、軸８０に向かって内向きに湾曲する連続的湾曲面である。湾曲面７２および７４は、湾曲面７２および７４と容器（パウチ１６など）の内壁との間の距離の度合いが変化することに起因して、平らな角度付き壁と比べて改善された閉塞抵抗を提供するように機能し得る。
【００３６】
[0049]図１３を参照すると、例示的な実施形態による注ぎ口１００に連結された密閉装置１２が示される。注ぎ口１００は、ここで論じられる点以外は注ぎ口１４と実質的に同じである。注ぎ口１００は、フランジ６４上で時計回りに向いている半径方向面１０２を含む。さらに、注ぎ口１００は、注ぎ口開口５４の閉塞を制限するように機能する下側注ぎ口開口５４を取り囲む構造物１０４を含む。一般的には、構造物１０４は、下側接続フランジ１０６と、少なくとも２つの、概ね長方形で実質的に垂直な開口１０８とを含む。開口１０８は、フランジ１０６の半径方向最外面１１０と、取付構造物６６の下方に位置付けられた半径方向面１１２とに対して軸８０の方向に凹んでいる。このようにして、面１１０および１１２は、壁が開口１０８を塞がないように、容器（例えばパウチ１６）の壁を開口１０８から間隔をあけて配置するように機能する。
【００３７】
[0050]さまざまな実施形態では、本明細書において検討される密閉装置および注ぎ口は、プラスチックから作られる。さまざまな実施形態では、密閉装置および注ぎ口は、圧縮成形プラスチックから作られ、別の実施形態では、密閉装置および注ぎ口は、射出成形プラスチックから作られる。さまざまな実施形態では、プラスチックは、ＰＥ、ＰＰ、ＰＥＴ、ＰＶＣなどを含む。
【００３８】
[0051]本発明のさまざまな態様のさらなる修正および代替実施形態は、本説明を考慮すれば、当業者には明らかであろう。したがって、本説明は、例証的なものにすぎないと解釈されるべきである。さまざまな例示的な実施形態に示される、構造および配置は、例証的なものにすぎない。本開示では数個の実施形態だけを詳述してきたが、本明細書に記載する主題の新規な教示および利点から実質的に逸脱することのない多くの修正が可能である（例えばさまざまな要素の大きさ、寸法、構造、形状、および比率、パラメータの値、取付配置、材料、色、方向性の使用などの変形例）。一体化して形成されるように示されるいくつかの要素は、複数の部品または要素で構築されてもよく、要素の位置は、逆にしてもよく、またはそれ以外に変更してもよい。別々の要素の性質もしくは数、または位置を変更しても、または変動させてもよい。何らかの工程、論理的アルゴリズム、または方法ステップの順序または配列は、代替実施形態によって変更しても、または再配列させてもよい。他の置換、修正、変更、および省略を、本発明の範囲を逸脱することなくさまざまな例示的な実施形態の設計、作動状態、および配置で行なうこともできる。
【００３９】
[0052]本開示の目的では、「連結された（ｃｏｕｐｌｅｄ）」という用語は、２つの構成要素を直接または間接的に互いに接合することを意味する。そのような接合は、固定的な性質であってもまたは移動可能な性質であってもよい。そのような接合は、２つの部材と、互いに一体的にまたは２つの部材と一体的に、単一の単体構造車体として形成されている何らかの追加的な中間部材とを用いて、または２つの部材と、互いに取り付けられている何らかの追加的な部材とを用いて達成され得る。そのような接合は、永続的な性質であってよく、または代替的に、取り外し可能または解除可能な性質であってもよい。
【００４０】
[0053]さまざまな例示的な実施形態では、図に示された角度、長さおよび半径を含む相対寸法は、一定の縮尺になっている。図の実測値は、さまざまな例示的な実施形態の相対的な寸法、角度、および割合を開示するものである。さまざまな例示的な実施形態は、図より決定され得る絶対的および相対的な寸法、角度、および割合の前後のさまざまな範囲に及ぶ。さまざまな例示的な実施形態は、図より決定され得る１つまたは複数の相対的な寸法または角度の何らかの組合せを含む。さらに、本記述において明確に述べていない実際寸法は、図で測定された寸法の比率を、本記述において述べた明示寸法と組み合わせて使用することで決定することができる。さらに、用語は、説明のためのものにすぎず、制限的とみなされるべきではないことを理解されたい。
【図１】
2017533148.tif 000003
【図２】
2017533148.tif 000004
【図３】
2017533148.tif 000005
【図４】
2017533148.tif 000006
【図５】
2017533148.tif 000007
【図６】
2017533148.tif 000008
【図７】
2017533148.tif 000009
【図８】
2017533148.tif 000010
【図９】
2017533148.tif 000011
【図１０】
2017533148.tif 000012
【図１１】
2017533148.tif 000013
【図１２】
2017533148.tif 000014
【図１３】
2017533148.tif 000015
【国際調査報告】
2017533148.tif 000016
2017533148.tif 000017